【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
遊技球を排出する排出機構と、
前記排出機構の作動を制御する排出制御手段と、
前記排出機構から排出された貸球を検出する貸球検出手段と、
前記貸球検出手段による検出に基づいて所定の単位貸球数の貸球排出が確認される毎に貸球排出確認信号を外部に出力する信号出力手段と、
を備えた遊技機において、
停電を検出する停電検出手段と、
前記停電検出手段による停電検出後に前記単位貸球数の貸球排出が確認された場合にはこの確認に対応する貸球排出確認信号の出力を禁止する信号出力禁止手段と、
前記信号出力禁止手段により出力が禁止された貸球排出確認信号を停電からの復帰後に出力する停電復帰時信号出力手段と、
を備え、
前記排出制御手段は、停電からの復帰の確認後、所定時間が経過するまでは前記排出機構の作動を再開させないようにしたことを特徴とする遊技機。
【請求項２】
前記排出機構からの球流路に分岐して形成された賞球流路および貸球流路と、これら賞球流路と貸球流路の分岐の始点に設けられて賞球流路の入口または貸球流路の入口を選択的に閉止する流路切換部材と、前記流路切換部材を賞球排出であるか貸球排出であるかにしたがって切換駆動する切換手段とを備え、前記貸球検出手段を前記貸球流路に設け、前記賞球流路には賞球検出手段を設けるとともに、前記切換手段は電力供給が断たれた場合には前記流路切換部材をその時点での位置に保持するものとしたことを特徴とする請求項１に記載の遊技機。
【請求項３】
貸球排出において単位貸球数に対する端数が残っている状態で前回の貸球検出から所定のクリア時間が経過した場合には、この端数を貸球排出確認信号の出力決定のためのカウントから削除することを特徴とする請求項１または請求項２に記載の遊技機。
【手続補正２】
【補正対象書類名】明細書
【補正対象項目名】０００５
【補正方法】変更
【補正の内容】
【０００５】
【課題を解決するための手段】
第１の発明では、遊技球を排出する排出機構と、前記排出機構の作動を制御する排出制御手段と、前記排出機構から排出された貸球を検出する貸球検出手段と、前記貸球検出手段による検出に基づいて所定の単位貸球数の貸球排出が確認される毎に貸球排出確認信号を外部に出力する信号出力手段と、を備えた遊技機において、停電を検出する停電検出手段と、前記停電検出手段による停電検出後に前記単位貸球数の貸球排出が確認された場合にはこの確認に対応する貸球排出確認信号の出力を禁止する信号出力禁止手段と、前記信号出力禁止手段により出力が禁止された貸球排出確認信号を停電からの復帰後に出力する停電復帰時信号出力手段と、を備え、前記排出制御手段は、停電からの復帰の確認後、所定時間が経過するまでは前記排出機構の作動を再開させないようにした。


【手続補正３】
【補正対象書類名】明細書
【補正対象項目名】０００６
【補正方法】変更
【補正の内容】
【０００６】
第２の発明では、前記排出機構からの球流路に分岐して形成された賞球流路および貸球流路と、これら賞球流路と貸球流路の分岐の始点に設けられて賞球流路の入口または貸球流路の入口を選択的に閉止する流路切換部材と、前記流路切換部材を賞球排出であるか貸球排出であるかにしたがって切換駆動する切換手段とを備え、前記貸球検出手段を前記貸球流路に設け、前記賞球流路には賞球検出手段を設けるとともに、前記切換手段は電力供給が断たれた場合には前記流路切換部材をその時点での位置に保持するものとした。


【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
第３の発明では、貸球排出において単位貸球数に対する端数が残っている状態で前回の貸球検出から所定のクリア時間が経過した場合には、この端数を貸球排出確認信号の出力決定のためのカウントから削除する。


【手続補正８】
【補正対象書類名】明細書
【補正対象項目名】００１１
【補正方法】変更
【補正の内容】
【００１１】
【発明の効果】
第１の発明では、停電発生時には、単位貸球数の貸球排出が確認された場合でも貸球排出確認信号の送信が行われず、この貸球排出確認信号は、停電からの復帰（復帰の確認）を待って送信されるので、停電発生後の送信が確実に行えるかどうか不確定なときに信号送信が行われて、信号送信の確実性が損なわれることはなく、貸球排出確認信号を確実に送信することができる。特に排出機構の作動は停電からの復帰後、所定時間経過してから再開されるので、停電からの復帰直後に貸球排出が始まってしまうことはなく、この貸球排出に伴う新たな貸球排出確認信号出力の必要が生じることはない。したがって、停電からの復帰直後に送信すべき貸球排出確認信号の数を少なくすることができ、送信すべき貸球排出確認信号が必要以上に混み合って（連続して）しまうことを防止できるので、受信側での貸球排出確認信号の受信を確実なものとすることができる。
【手続補正９】
【補正対象書類名】明細書
【補正対象項目名】００１２
【補正方法】変更
【補正の内容】
【００１２】
第２の発明では、貸球排出の場合に遊技球を流路切換部材により貸球流路に導いて貸球検出手段で検出するとともに、流路切換部材の位置が停電後も保持されるようにしておけば、停電発生後の貸球排出も賞球排出と区別されて正しく検出でき、適切な貸球排出確認信号の送信を行える。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
第３の発明では、貸球排出において生じた単位貸球数に対する端数は、貸球排出確認信号出力を決定するための貸球排出としてはカウントしないようにしたので、一つ一つの貸球排出において排出ミスがあって単位貸球数に対して余分な排出がなされた場合でも、この余分な排出は貸球排出確認信号の出力においては無視される。したがって、例えば一つの貸球要求に対して単位貸球数の貸球排出がなされるとした場合には、貸球排出確認信号は貸球要求に正しく対応して送信されることになり、貸球排出を合理的に管理できる。


【手続補正１３】
【補正対象書類名】明細書
【補正対象項目名】００５６
【補正方法】変更
【補正の内容】
【００５６】
一方、図４に示すように、ソレノイド７３３への通電によりプランジャ７３１を上方に駆動すると、連係部材７２３は時計回りに、連係部材７２２は反時計回りにそれぞれ回動し、流路切換弁７２０は賞球流路７０３を閉鎖して貸球流路７０４を開放する弁位置に切り換わる。この結果、導入路７０２に導入された遊技球は、総て貸球流路７０４に流れ込み、貸球検出センサ７１４により検出される。また、この状態でソレノイド７３３への通電をＯＦＦとしても、プランジャ７３１は固定部材７３４と接着した位置に保持されるから、流路切換弁７２０もそのまま貸球流路７０４開放の弁位置を保持する。


【手続補正１４】
【補正対象書類名】明細書
【補正対象項目名】００８１
【補正方法】変更
【補正の内容】
【００８１】
電源投入されると、ステップＳ１で初期化処理が実行され、ＲＡＭ４０３の制御エリアのクリアがなされる。この場合、ＲＡＭ４０３のバックアップエリアはチェックデータに異常がない限りクリアされず、バックアップエリア内のデータ（信号出力要求数、カウンタバッファ値）は、電源ＯＦＦ時（停電時）に保存されていたものがそのまま以下の処理に使用される。


【手続補正１５】
【補正対象書類名】明細書
【補正対象項目名】００９２
【補正方法】変更
【補正の内容】
【００９２】
一方、ステップＳ１１で貸球検出がなかった場合には、ステップＳ１７に進み、休止タイマを更新する。


【手続補正１６】
【補正対象書類名】明細書
【補正対象項目名】０１００
【補正方法】変更
【補正の内容】
【０１００】
ステップＳ２９では、停電タイマを更新する。続くステップＳ３０では、停電タイマがタイムアップしたか否かの判定がなされ、タイムアップしていなければステップＳ２４に戻り、タイムアップしていればステップＳ３１のアイドリング処理に進む。このように、停電検出されても、停電タイマのタイムアップ時間が経過するまでの間は、貸球検出に基づくカウントバッファおよび信号出力要求数の更新処理（ステップＳ２４〜ステップＳ２８の処理）が実行される。ただし、信号出力処理（図６）には戻ることはないので、停電処理中に貸球排出確認信号が新たに出力されることはない。